(57)【要約】【課題】金属メッシュ電極を連結するに際して複数のブリッジを用いて金属メッシュ電極を安定的に連結することができるようにするとともに、寄生キャパシタンス発生を最小化する。【解決手段】複数の画素開口部及びバンク絶縁膜を含む有機発光アレイ及び有機発光アレイと合着されたタッチ電極アレイを含み、タッチ電極アレイは、複数の格子構造を含み、第１方向に配置された第１メッシュ電極、第２方向に配置される第２メッシュ電極、隣接した第１メッシュ電極を連結するブリッジ、及び隣接した第２メッシュ電極を連結する連結パターンを含む。ブリッジは、複数個で構成され、第２メッシュ電極と重畳せず、連結パターンとは交差する方向に重畳する。第１メッシュ電極、第２メッシュ電極、ブリッジ及び連結パターンは、バンク絶縁膜上にだけ重畳するように備えられる。【選択図】図３
2018109768.tif 000002
【特許請求の範囲】
【請求項１】
複数の画素開口部及び画素開口部の間に位置するバンク絶縁膜を含む有機発光アレイ、及び
前記有機発光アレイと合着されたタッチ電極アレイを含み、
前記タッチ電極アレイは、
第１方向に配置され、複数の格子構造を含む複数の第１メッシュ電極、
前記第１メッシュ電極と同一層に位置し、前記第１メッシュ電極から絶縁され、前記第１方向と交差する第２方向に配置され、複数の格子構造を含む複数の第２メッシュ電極、
前記第１メッシュ電極と違う層に位置し、コンタクトホールを通じて第１方向に隣り合う第１メッシュ電極を連結するブリッジ、及び
前記第２方向に隣り合う他の第２メッシュ電極を互いに連結する連結パターンを含み、
前記ブリッジは、前記第２メッシュ電極及び前記連結パターンのうち前記連結パターンにだけ互いに交差するように重畳する、
インセルタッチ有機発光表示装置。
【請求項２】
前記第１及び第２メッシュ電極、前記ブリッジ及び前記連結パターンは、前記バンク絶縁膜上に重畳するように位置する、
請求項１に記載のインセルタッチ有機発光表示装置。
【請求項３】
前記第１メッシュ電極は、互いに異なる第３及び第４方向に交差するように位置して格子構造を形成する複数の第１及び第２ライン電極を含み、
前記第２メッシュ電極は、互いに異なる第３及び第４方向に交差するように位置して格子構造を形成する複数の第３及び第４ライン電極を含み、
前記連結パターンは、前記第３及び第４ライン電極から伸びるように構成された、
請求項２に記載のインセルタッチ有機発光表示装置。
【請求項４】
前記画素開口部は、ダイヤモンド形に構成される、
請求項３に記載のインセルタッチ有機発光表示装置。
【請求項５】
前記第１及び第２メッシュ電極の一部を覆うセグメント電極をさらに含む、
請求項１に記載のインセルタッチ有機発光表示装置。
【請求項６】
前記第１メッシュ電極は、前記第１及び第２ライン電極の交差点を第１方向に連結する複数の第５ライン電極をさらに含み、
前記第２メッシュ電極は、前記第３及び第４ライン電極の交差点を第１方向に連結する複数の第６ライン電極をさらに含む、
請求項３に記載のインセルタッチ有機発光表示装置。
【請求項７】
前記第５ライン電極は、前記第２方向に隣り合う他の第５ライン電極から前記第１及び第２ライン電極の交差点を挟んで互いに離隔し、
前記第６ライン電極は、前記第２方向に隣り合う他の第６ライン電極から前記第３及び第４ライン電極の交差点を挟んで互いに離隔する、
請求項６に記載のインセルタッチ有機発光表示装置。
【請求項８】
前記ブリッジは、前記第５ライン電極に前記コンタクトホールを通じて接続するように前記第１方向に配列された、
請求項７に記載のインセルタッチ有機発光表示装置。
【請求項９】
前記画素開口部は、三角形、逆三角形及びダイヤモンド形の画素開口部が混在するように構成された、
請求項７に記載のインセルタッチ有機発光表示装置。
【請求項１０】
前記画素開口部のうち三角形及び逆三角形の画素開口部は、前記第１ライン電極、前記第２ライン電極及び前記第５ライン電極が互いに交差して形成される領域に重畳するように位置するか、あるいは前記第３ライン電極、前記第４ライン電極及び前記第６ライン電極が互いに交差して形成される領域に重畳するように位置する、
請求項９に記載のインセルタッチ有機発光表示装置。
【請求項１１】
前記三角形及び前記逆三角形の画素開口部は、赤色及び緑色画素開口部であり、
前記ダイヤモンド形の画素開口部は、青色画素開口部である、
請求項９に記載のインセルタッチ有機発光表示装置。
【請求項１２】
前記逆三角形の画素開口部と前記三角形の画素開口部は、第２方向に隣り合って頂点が向き合うように位置し、前記ダイヤモンド形の画素開口部は、前記逆三角形の画素開口部及び前記三角形の画素開口部と前記第１方向に隣り合うように位置する、
請求項９に記載のインセルタッチ有機発光表示装置。
【発明の詳細な説明】
【技術分野】
【０００１】
本発明は、インセルタッチ有機発光表示装置に関するもので、より詳しくは、タッチセンサーに備えられた電極の時定数の増加及び寄生キャパシタンスの発生を防止することができるインセルタッチ有機発光表示装置に関するものである。
【背景技術】
【０００２】
多様な情報を画面で具現する映像表示装置は、情報通信時代の核心技術で、より薄く、より軽く、携帯が可能でありながらも高性能の方向に発展している。したがって、陰極線管（ＣＲＴ）の欠点である重さ及び体積を減らすことができる平板表示装置で有機発光層の発光量を制御して映像を表示する有機発光表示装置などが脚光を浴びている。
【０００３】
このような有機発光表示装置は、自発光の有機発光素子を用いるので、別の光源を要求しなく、超薄型ディスプレイの具現が可能なので、近来には、有機発光素子を用い、発光セルの内部にタッチ電極アレイを含むインセルタッチ（Ｉｎ−Ｃｅｌｌ  Ｔｏｕｃｈ）構造のタッチパネル一体型表示装置に関する研究が活発に行われている。
【０００４】
インセルタッチ（Ｉｎ−Ｃｅｌｌ  Ｔｏｕｃｈ）構造のタッチパネルは、第１方向に配置された第１タッチ電極と、第１タッチ電極と交差するように第２方向に配置された第２電極とを含む。第１及び第２タッチ電極は、電気的に分離されており、両電極の一方は、タッチ信号を印加する駆動電極として、他方は、タッチによる静電容量（Ｃａｐａｃｉｔａｎｃｅ）の変化を感知することによってタッチをセンシングする感知電極として機能することができる。
【０００５】
一方、フレキシブルなインセルタッチ構造を有する有機発光表示装置を製造するに際して、優れたフレキシビリティを有しながらも低抵抗の金属メッシュ電極をタッチ電極に適用しようとする研究が活発に行われている。このような金属メッシュ電極は、透明伝導性物質に比べて反射性が高いので、外部から視認される可能性が高くなり、全体有機発光表示装置の輝度を低下させる問題を有する。
【０００６】
これを解決するため、金属メッシュ電極を非発光領域であるバンクなどにアラインさせることによって、前記金属メッシュ電極が視認されないようにする。
【０００７】
前記第１タッチ電極は、第１方向に配列され、互いに電気的に連結された複数の第１メッシュ電極を含む。そして、第２タッチ電極は、第２方向に配列され、互いに電気的に連結された複数の第２メッシュ電極を含む。前記第１メッシュ電極は、ブリッジを介して第１方向に隣り合う他の第２メッシュ電極と電気的に接続することができる。この際、第２メッシュ電極は、前記ブリッジ下部の連結パターンを介して第２方向に隣り合う他の第２メッシュ電極と電気的に接続することができる。
【０００８】
この際、ブリッジは、外部に視認されることを防止するために、金属メッシュ電極と同様に非発光領域であるバンク上に重畳するように形成される。
【０００９】
ところが、前記ブリッジが切れるなどの損傷が発生する場合、前記メッシュ電極間の電気的接続が断絶されることによって、タッチセンシングの不良が発生し得る。このような問題点を解決するために、隣接したメッシュ電極を複数のブリッジで連結する場合、前記金属メッシュ電極が下層に位置するメッシュ電極上に絶縁層を挟んで重畳することによって寄生キャパシタンスが発生する。
【００１０】
ブリッジと金属メッシュ電極の間に寄生キャパシタンスが発生すれば、時定数が上昇してＲＣディレーが発生することによってタッチセンシング信号伝達が遅延される。また、前記ブリッジと金属メッシュ電極の間の寄生キャパシタンスによって全体タッチ電極のキャパシタンスも増加するため、タッチセンシング変化を敏感にセンシングすることができない問題も発生する。
【発明の概要】
【発明が解決しようとする課題】
【００１１】
本発明は、前記問題点を解決するために案出されたもので、金属メッシュ電極を連結するとき、複数のブリッジを用いて金属メッシュ電極を安定的に連結することができるようにするとともに、寄生キャパシタンス発生を最小化することができるインセルタッチ構造の有機発光表示装置を提供することを解決しようとする課題とする。
【課題を解決するための手段】
【００１２】
前記課題を解決するために、本発明によるインセルタッチ有機発光表示装置は、複数の画素開口部及びバンク絶縁膜を含む有機発光アレイ及び前記有機発光アレイと合着されたタッチ電極アレイを含み、前記タッチ電極アレイは、複数の格子構造を含み、第１方向に配置された第１メッシュ電極、第２方向に配置される第２メッシュ電極、隣接した第１メッシュ電極を連結するブリッジ、及び前記隣接した第２メッシュ電極を連結する連結パターンを含む。前記ブリッジは、複数個で構成され、第２メッシュ電極と重畳せず、連結パターンとは交差する方向に重畳する。
【００１３】
第１メッシュ電極、第２メッシュ電極、ブリッジ及び連結パターンは、前記バンク絶縁膜上にだけ重畳するように備えられる。
【発明の効果】
【００１４】
本発明によるインセルタッチ有機発光表示装置は、複数のブリッジを用いて隣接した二つのメッシュ電極を連結することで、ブリッジのうち一つが断線されてもタッチセンシングが可能であるので、タッチ信頼性が向上する効果を有する。
【００１５】
また、本発明によるインセルタッチ有機発光表示装置は、前記複数のブリッジと重畳するメッシュ電極を除去することで寄生キャパシタンスの発生を防止することによってタッチセンシングの特性が大きく向上する特徴を有する。
【００１６】
また、本発明によるインセルタッチ有機発光表示装置は、時定数の上昇によるタッチ応答時間の遅延が防止される。
【図面の簡単な説明】
【００１７】
【図１】本発明によるインセルタッチ有機発光表示装置を説明するための模式図である。
【図２】図１のＩ−Ｉ’線についての概略断面図である。
【図３】本発明の第１実施例による第１メッシュ電極、第２メッシュ電極、ブリッジ及び連結パターンの特徴及び連結関係を詳細に説明するための模式図である。
【図４】図３のＩＩ−ＩＩ’線について断面図である。
【図５】本発明の第２実施例による第１メッシュ電極、第２メッシュ電極、ブリッジ及び連結パターンの特徴及び連結関係を詳細に説明するための模式図である。
【図６】図５のＩＩＩ−ＩＩＩ’線についての断面構造を説明するための断面図である。
【発明を実施するための形態】
【００１８】
以下、添付図面に基づき、本発明の好適な実施例を説明する。明細書全般にわたって同じ参照番号は、実質的に同じ構成要素を意味する。以下の説明で、本発明に係わる技術あるいは構成についての具体的な説明が本発明の要旨を不必要にあいまいにすると判断される場合、その詳細な説明を省略する。また、以下の説明で使われる構成要素の名称は、容易な明細書作成を考慮して選択されたもので、実際製品の部品の名称と違うこともあり得る。
【００１９】
位置関係についての説明の場合、例えば‘〜上に’、‘〜上部に’、‘〜下部に’、‘〜のそばに’などのように二つの部分の位置関係が説明される場合、‘直ぐ’又は‘直接’が使われない限り、二つの部分の間に一つ以上の他の部分が位置することもできる。
【００２０】
たとえ、第１、第２などが多様な構成要素を敍述するために使われるが、これらの構成要素は、これらの用語に制限されない。これら用語は、ただ一構成要素を他の構成要素と区別するために使用するものである。よって、以下で言及される第１構成要素は、本発明の技術的思想内で第２構成要素であってもよい。
【００２１】
図面に示した各構成のサイズ及び厚さは、説明の便宜のために示したものであり、本発明が図示の構成のサイズ及び厚さに必ずしも限定されるものではない。
【００２２】
図１は、本発明によるインセルタッチ有機発光表示装置を説明するための模式図である。
【００２３】
本発明によるインセルタッチ有機発光表示装置は、基板上に第１方向ｄ１に配列された複数の第１メッシュ電極１０１と、第１方向ｄ１と交差する第２方向ｄ２に配列された第２メッシュ電極１０２をと含むタッチ電極アレイを内蔵している。本実施例において、第１方向ｄ１はｘ軸方向、第２方向ｄ２は、ｙ軸方向として例示されている。しかし、前記第１方向ｄ１及び第２方向ｄ２は、必ずしもこれに限定されるものではない。
【００２４】
ここで、第１メッシュ電極１０１と第２メッシュ電極１０２は、互いに電気的に絶縁されるように構成される。そして、第１方向ｄ１に隣り合う第１メッシュ電極１０１は、互いに電気的に連結され、第２方向ｄ２に隣り合う第２メッシュ電極１０２は、互いに電気的に連結される。
【００２５】
第１及び第２メッシュ電極１０１、１０２は、それぞれ複数の格子構造を含む。この際、前記第１メッシュ電極１０１は、第１方向ｄ１及び第２方向ｄ２とは違う方向である第３方向ｄ３に長く形成された複数の第１ライン電極１０１１と、第４方向ｄ４に長く形成されて前記第１ライン電極１０１１と交差することによって格子構造を形成する複数の第２ライン電極１０１２とを含む。この際、第３方向ｄ３は、例えばｘ軸に対して４５°の角度を成す対角線方向であってもよく、第４方向ｄ４は、例えばｘ軸に対して１３５°の角度を成し、第３方向ｄ３を成す対角線と直交する方向の対角線であってもよいが、これに限定されない。
【００２６】
第２メッシュ電極１０２は、第３方向ｄ３に長く形成された複数の第３ライン電極１０２１と、第４方向ｄ４に長く形成されて前記第３ライン電極１０２１と交差することによって格子構造を形成する第４ライン電極１０２２とを含む。
【００２７】
第１方向ｄ１に隣り合う第１メッシュ電極１０１は、複数のブリッジ９１２によって互いに連結されている。図１には、説明の便宜のために、２個のブリッジ９１２ａ、９１２ｂのみが示されているが、ブリッジ９１２の数は、図１に限定されなく、隣接した第１メッシュ電極１０１は、もっと多い数、例えば３〜１０個のブリッジ９１２によって互いに連結できる。
【００２８】
また、第２方向ｄ２に隣り合う第２メッシュ電極１０２は、連結パターン１０２７によって互いに連結される。ここで、ブリッジ９１２によって第１方向ｄ１に連結された第１メッシュ電極１０１は、タッチ信号をセンシングするための駆動信号を印加する駆動電極として機能し、連結パターン１０２７によって第２方向ｄ２に連結された第２メッシュ電極１０２は、タッチ信号を感知する感知電極として機能することができ、その反対に機能することもできるが、必ずしもこれに限定されるものではない。
【００２９】
図１に詳細に示されてはいないが、ブリッジ９１２ａ、９１２ｂは、第２メッシュ電極１０２と重畳しないように形成され、連結パターン１０２７にだけ互いに交差するように重畳する。このような第１及び第２メッシュ電極１０１、１０２及びその連結関係の詳細な構造については後述する。
【００３０】
表示領域Ａ／Ａの最も外側に位置する第１メッシュ電極１０１は、第１ルーティングライン９１３ａを介してタッチパッド部２３５０のパッド電極１１００と接続され、前記表示領域Ａ／Ａの最も外側に位置する第２メッシュ電極１０２は、第２ルーティングライン９１３ｂを介してタッチパッド部２３５０のパッド電極１１００と接続する。
【００３１】
図２は、図１のＩ−Ｉ’線についての概略断面図である。
【００３２】
本発明の実施例による表示装置は、基板１０００上に第１基材１２０、第１バッファー層１３０、薄膜トランジスタアレイ１４０及び有機発光アレイ１５０が順次位置し、前記有機発光アレイ１５０を覆うように保護層１６０が位置する。カバーウィンドウ３０００の内側には、第２基材２１０、第２バッファー層２２０及びタッチ電極アレイ２３０が配置される。この際、タッチ電極アレイ２３０は、有機発光アレイ１５０と向き合うように接着層４００によって有機発光アレイ１５０上の保護層１６０と合着された構造を有する。
【００３３】
第１バッファー層１３０及び第２バッファー層２２０は、それぞれアクティブ領域とデッド領域が定義されており、タッチ電極アレイ２３０、有機発光アレイ１５０及びパッド部を除いた薄膜トランジスタアレイ１４０内の薄膜トランジスタは、前記アクティブ領域に形成される。そして、デッド領域の一部にタッチパッド部及び薄膜トランジスタアレイのパッド部が定義される。
【００３４】
ここで、第１及び第２基材１２０、２１０は、レーザーの照射又は食刻工程において内部アレイの損傷を防止する役目をし、場合によっては、基板１０００及びカバーウィンドウ３０００が除去され、第１及び第２基材１２０、２１０が表示装置を外部から保護する役目をする。第１及び第２基材１２０、２１０は、ポリイミド（Ｐｏｌｙｉｍｉｄｅ）及びフォトアクリル（Ｐｈｏｔｏａｃｒｙｌ）などの高分子物質でなることができる。そして、第１及び第２基材１２０、２１０は、ガラス又はポリマーなどからなった基板に取り替えられることができ、設計によっては省略することもできる。
【００３５】
第１バッファー層１３０及び第２バッファー層２２０は、それぞれ酸化膜（ＳｉＯ２）又は窒化膜（ＳｉＮｘ）のような無機膜を同種で連続的に積層するか、あるいは異種の無機膜を交互に積層してなる。第１及び第２バッファー層１３０、２２０は、下部基板上に上部基板を合着する後続の工程で有機発光アレイ１５０に水分又は外気が透湿することを防止するバリアーとして機能するようにする。
【００３６】
タッチ電極アレイ２３０とタッチパッド部２３５０は、第２バッファー層２２０の同一面に形成される。タッチパッド部２３５０のパッド電極１１００は、接着層４００による上下合着過程で、導電性ボール４５５を含むシール４５０によって薄膜トランジスタアレイ１４０のパッド部（図示せず）に接続される。この時、接着層４００は、透湿防止機能を有し、有機発光アレイ１５０を覆う保護層１６０と直接接触し、保護層１６０が有する機能に加え、有機発光アレイ１５０に外気が入ることを防止し、水分の透湿をより確かに防止する役目をする。
【００３７】
ここで、前記パッド部を含む薄膜トランジスタアレイ１４０は、前記タッチ電極アレイ２３０より一側が突出するように形成できる。突出した部分には、前記タッチ電極アレイ及び薄膜トランジスタアレイと有機発光アレイを一緒に駆動するための信号を伝達する駆動ＩＣ（図示せず）が備えられることができる。図示しなかったが、前記駆動ＩＣと薄膜トランジスタアレイ駆動パッド及びダミーパッドは、複数のダミー電極を含み、前記駆動ＩＣと配線によって連結される。そして、前記駆動ＩＣは、ガラスの除去後、ＦＰＣＢ（Ｆｌｅｘｉｂｌｅ  Ｐｒｉｎｔｅｄ  Ｃｉｒｃｕｉｔ  Ｂｏａｒｄ）（図示せず）とボンディングされて連結され、ＦＰＣＢに備えられたＭＣＵ（Ｍｉｃｒｏ  Ｃｏｎｔｒｏｌ  Ｕｎｉｔ、図示せず）及びタイミングコントローラー（図示せず）によって制御できる。前記ダミーパッドは、アクティブ領域の外側のデッド領域のうち前記タッチパッド部と対応する領域にゲートライン又はデータラインを成す金属と同一層に形成される。
【００３８】
前記駆動ＩＣは、ＣＯＦ（Ｃｈｉｐ  Ｏｎ  Ｆｉｌｍ）方式で、フレキシブルプリント回路フィルムに実装できる。
【００３９】
図示しなかったが、前記薄膜トランジスタアレイ駆動パッド及びダミーパッドは、前記ＦＰＣＢと配線（図示せず）を介して連結される。また、前記ＦＰＣＢには前記駆動回路を制御するためのコントローラー（図示せず）がさらに備えられることができる。
【００４０】
前記ダミーパッドは、アクティブ領域外側のデッド領域のうち前記タッチパッド部と対応する領域にゲートライン又はデータラインを成す金属と同一層に形成される。
【００４１】
図３は、本発明の第１実施例によるタッチ電極アレイ２３０に備えられた第１メッシュ電極１０１及び第２メッシュ電極１０２、ブリッジ９１２及び連結パターン１０２７の特徴及び連結関係を詳細に説明するための模式図である。
【００４２】
タッチ電極アレイ２３０には、第１メッシュ電極１０１、第２メッシュ電極１０２、ブリッジ９１２及び連結パターン１０２７が備えられる。第１メッシュ電極１０１は、前述したように、第３方向ｄ３及び第４方向ｄ４に交差するように配列された第１及び第２ライン電極１０１１、１０１２を含む。第２メッシュ電極１０２は、第３方向ｄ３及び第４方向ｄ４に交差するように配列された第３及び第４ライン電極１０２１、１０２２を含む。前記第１〜第４ライン電極１０１１、１０１２、１０２１、１０２２は、同じ物質で同一層に形成できる。この際、第１及び第２メッシュ電極１０１、１０２は、金属物質で形成されることにより、前述したように、高いフレキシビリティ及び低い抵抗性を確保することができる利点を有する。
【００４３】
ここで、第１ライン電極１０１１と第２ライン電極１０１２同士は、互いに交差して電気的に連結され、第３ライン電極１０２１と第４ライン電極１０２２同士は、互いに交差して電気的に連結される。そして、第１及び第２ライン電極１０１１、１０１２は、第３及び第４ライン電極１０２１、１０２２から互いに離隔するように配置され、第１メッシュ電極１０１と第２メッシュ電極１０２が前述したように互いに電気的に絶縁されるので、第１メッシュ電極１０１を成す第１及び第２ライン電極１０１１、１０１２は、第２メッシュ電極１０２を成す第３及び第４ライン電極１０２１、１０２２から電気的に絶縁される。
【００４４】
第１及び第２メッシュ電極１０１、１０２は、有機発光アレイ１５０の画素開口部１０５Ｒ、１０５Ｇ、１０５Ｂと重畳しないように位置する。すなわち、第１及び第２メッシュ電極１０１、１０２は、有機発光アレイ１５０の画素開口部１０５Ｒ、１０５Ｇ、１０５Ｂの間に備えられたバンク絶縁膜１５上に位置する。そして、画素開口部１０５Ｒ、１０５Ｇ、１０５Ｂは、前記第１及び第２ライン電極１０１１、１０１２が交差して形成される領域に重畳するように位置する。したがって、第１及び第２メッシュ電極１０１、１０２は、画素開口部１０５Ｒ、１０５Ｇ、１０５Ｂを遮らないように形成されるので、第１及び第２メッシュ電極１０１、１０２は、使用者に視認されない。画素開口部１０５Ｒ、１０５Ｇ、１０５Ｂは、赤色、緑色、青色の発光素子の発光領域をそれぞれ定義する。
【００４５】
連結パターン１０２７は、第３ライン電極１０２１と同一である第３方向ｄ３に伸びる第１連結ライン電極１０２７ａと、第４ライン電極１０２２と同一である第４方向ｄ４に伸びるライン形態の第２連結ライン電極１０２７ｂとを含むことができる。第１連結ライン電極１０２７ａと第２連結ライン電極１０２７ｂは、第３及び第４ライン電極１０２１、１０２２と同じ物質で同時に形成できる。
【００４６】
連結パターン１０２７は、第２方向ｄ２に隣り合う第２メッシュ電極１０２を互いに連結する。すなわち、連結パターン１０２７は、第２方向ｄ２に隣り合う第２メッシュ電極１０２の間にタッチ信号を伝達する通路の役目をすることができる。
【００４７】
連結パターン１０２７も前記画素開口部１０５Ｒ、１０５Ｇ、１０５Ｂと重畳しないように位置する。図３には示されていないが、連結パターン１０２７を成す第１及び第２連結ライン電極１０２７ａ、１０２７ｂは、互いに交差するように複数で形成されることによってメッシュパターンを成すことができる。そして、連結パターン１０２７のメッシュパターンも画素開口部１０５Ｒ、１０５Ｇ、１０５Ｂと互いに重畳しないように構成される。
【００４８】
図３は、画素開口部１０５Ｒ、１０５Ｇ、１０５Ｂがそれぞれダイヤモンド形に形成された実施例を示しているが、必ずしもこれに限定されない。画素開口部１０５Ｒ、１０５Ｇ、１０５Ｂは、長方形、正方形、三角形、平行四辺形など、設計によって多様な形態変更が可能である。
【００４９】
第１〜第４ライン電極１０１１、１０１２、１０２１、１０２２及び第１及び第２連結ライン電極１０２７ａ、１０２７ｂは、それぞれＣｕ、Ａｇ、Ａｌ、Ｍｏ、Ｔｏ、Ａｕなどの多様な金属物質又はこれらの合金で形成できるが、必ずしもこれに限定されるものではない。前述したように、第１及び第２ライン電極１０１１、１０１２は、電気的に互いに連結されて第１メッシュ電極１０１を成す。そして、第３及び第４ライン電極１０２１、１０２２は、互いに連結されて第２メッシュ電極１０２を成す。そして、第１及び第２メッシュ電極１０１、１０２が互いに電気的に絶縁されるように形成されることにより、第１及び第２ライン電極１０１１、１０１２と第３及び第４ライン電極１０２１、１０２２は、互いに電気的に絶縁される。
【００５０】
前記第１ライン電極１０１１と第２ライン電極１０１２が交差する領域及び第３ライン電極１０２１と第４ライン電極１０２２が交差する領域にはセグメント電極１０２４がさらに備えられることができる。
【００５１】
セグメント電極１０２４は、ＩＴＯ、ＩＺＯ、ＩＧＺＯ、ＺｎＯなどの透明導電性物質で形成できる。セグメント電極１０２４は、設計によって省略されるか、あるいは前記第１及び第２ライン電極１０１１、１０１２が交差する領域の一部及び前記第３及び第４ライン電極１０２１、１０２２が交差する領域の一部にだけ形成できる。セグメント電極１０２４は、透明導電性物質で形成されることにより、画素開口部１０５Ｒ、１０５Ｇ、１０５Ｂを遮らないながらも面状に形成される。したがって、ライン形への形成による小さい断面積によって高い抵抗を有し得る第１及び第２メッシュ電極１０１、１０２の抵抗成分を面状のセグメント電極１０２４を用いて補償することができる。
【００５２】
ブリッジ９１２ａ、９１２ｂは、複数で構成される。図３には第１ブリッジ９１２ａ及び第２ブリッジ９１２ｂの２個のブリッジのみが示されたが、実際に第１メッシュ電極１０２の間にはこれより多いブリッジが備えられることができる。前述したように前記ブリッジ９１２ａ、９１２ｂの数が増加する場合、ブリッジ９１２ａ、９１２ｂの一部が断線されると言っても他のブリッジを介して第１メッシュ電極１０２の間には信号が伝達されるので、タッチセンシング信頼度が上昇する効果がある。一方、前記ブリッジ９１２ａ、９１２ｂの数が増加するほど寄生キャパシタンスが増加するので、時定数の上昇によるタッチセンシング遅延現象及びタッチセンシング特性の減少現象が発生し得る。
【００５３】
このような問題点を解決するため、ブリッジ９１２ａ、９１２ｂに重畳するように位置する第２メッシュ電極１０２は、除去される。すなわち、ブリッジ９１２ａ、９１２ｂと第２メッシュ電極１０２は、重畳するように位置しない。しかし、連結パターン１０２７は、隣接した第２メッシュ電極１０２を連結するためには、ブリッジ９１２ａ、９１２ｂと重畳する部分を含まなければならない。ブリッジ９１２ａ、９１２ｂと連結パターン１０２７が重畳する面積を最小化するために、連結パターン１０２７は、ブリッジ９１２ａ、９１２ｂと互いに交差するように重畳する。
【００５４】
言い換えれば、ブリッジ９１２ａ、９１２ｂは、連結パターン１０２７及び第２メッシュ電極１０２のうち連結パターン１０２７のみと互いに交差するように重畳する特徴を有する。したがって、本発明によるインセルタッチ有機発光表示装置は、ブリッジ９１２ａ、９１２ｂと第２メッシュ電極１０２が重畳しないことによってブリッジ９１２ａ、９１２ｂと第２メッシュ電極１０２の間には寄生キャパシタンスが発生せず、第２メッシュ電極１０２と連結パターン１０２７は、最小限の重畳面積を有するように重畳することによって寄生キャパシタンスの発生を最小化する。
【００５５】
図４は、図３のＩＩ−ＩＩ’線についての断面図を示すものである。図４では、第１ライン電極１０１１及び第２ライン電極１０１２をいずれも第１メッシュ電極１０１と指称して説明する。
【００５６】
図４を参照すると、第１基材１２０上には、第１バッファー層１３０が位置する。そして、第１バッファー層１３０上には、薄膜トランジスタＴを含む薄膜トランジスタアレイ１４０が備えられる。薄膜トランジスタＴは、チャネル領域１４１、ソース領域１４２及びドレイン領域１４３を含む活性層１４４と、前記活性層１４４上に位置するゲート絶縁膜１４５及びゲート電極１４８と、前記活性層１４４及びゲート電極１４８を覆い、ソース／ドレイン領域１４２、１４３を露出するコンタクトホールを備えた層間絶縁膜１４９と、コンタクトホールを介してソース／ドレイン領域１４２、１４３に接するように形成されたソース電極１４６及びドレイン電極１４７とを含む。前記薄膜トランジスタＴ上には、第１パッシベーション層１４が形成され、第１パッシベーション層１４は、ドレイン電極１４７を露出するコンタクトホールを備える。
【００５７】
第１パッシベーション層１４上には、コンタクトホールと接続した第１電極１５１が位置し、第１電極１５１の一部を露出して画素開口部１０５Ｒを定義するバンク絶縁膜１５が位置する。また、バンク絶縁膜１５上には、スペーサー１５４がさらに位置することができる。
【００５８】
画素開口部１０５Ｒの第１電極１５１上には、発光層を含む有機層１５２が形成される。この際、有機層１５２は、電子注入層（Ｅｌｅｃｔｒｏｎ  Ｉｎｊｅｃｔｉｏｎ  Ｌａｙｅｒ；ＥＩＬ）、電子輸送層（Ｅｌｅｃｔｒｏｎ  Ｔｒａｎｓｐｏｒｔ  Ｌａｙｅｒ；ＥＴＬ）、発光層（Ｅｍｉｓｓｉｏｎ  Ｌａｙｅｒ；ＥＭＬ）、正孔輸送層（Ｈｏｌｅ  Ｔｒａｎｓｐｏｒｔ  Ｌａｙｅｒ；ＨＴＬ）及び正孔注入層（Ｈｏｌｅ  Ｉｎｊｅｃｔｉｏｎ  Ｌａｙｅｒ；ＨＩＬ）に区分される。発光層は、陰極からの電子と陽極からの正孔が再結合して生成された励起子が基底状態に戻りながら特定波長の光を発光することになる。
【００５９】
有機層１５２は、前記第１電極１５１のみならずバンク絶縁膜１５を含むバッファー層１３０の全面に形成することもできるが、必ずしもこれに限定されるものではない。
【００６０】
有機層１５２上には、第２電極１５３が形成される。第２電極１５３は、前記有機層１５２を含むバッファー層１３０の全面に形成できる。
【００６１】
このような有機発光アレイ１５０は、保護層１６０によって外部湿気などから遮断される。保護層１６０は、無機膜と有機膜が交互に積層された構造に形成できるが、必ずしもこれに限定されるものではない。
【００６２】
第２バッファー層２２０の内面には、タッチ電極アレイ２３０が位置する。タッチ電極アレイ２３０は、接着層４００によって有機発光アレイ１５０と向き合って合着された構造を有する。
【００６３】
第２バッファー層１２０上には、有機発光アレイ１５０と向き合うように第１メッシュ電極１０１が位置する。そして、図４に示されてはいないが、第１メッシュ電極１０１と同一層には、第２メッシュ電極１０２が位置する。そして、第２メッシュ電極１０２は、連結パターン１０２７によって隣接した他の第２メッシュ電極１０２と連結される。連結パターン１０２７が第２メッシュ電極１０２と同一層に同じ物質で形成されることは、前述したとおりである。
【００６４】
前述したように、第１及び第２メッシュ電極１０１、１０２及び連結パターン１０２７は画素開口部１０５Ｒ、１０５Ｇ、１０５Ｂと重畳せず、バンク絶縁膜１５上に重畳するように備えられる。図４を参照すると、第１メッシュ電極１０１が画素開口部１０５Ｒと重畳しないことを確認することができる。よって、前記第１メッシュ電極１０１、第２メッシュ電極１０２及び連結パターン１０２７は、使用者に視認されない。
【００６５】
セグメント電極１０２４は、前記第１及び第２メッシュ電極１０１、１０２に接するように備えられることができる。図４を参照すると、第１メッシュ電極１０１上にセグメント電極１０２４が接したことを確認することができる。図４に示されてはいないが、第２メッシュ電極１０２上にも同様にセグメント電極１０２４が接するように備えられることができる。
【００６６】
前述したように、セグメント電極１０２４は、前記第１及び第２ライン電極１０１１、１０１２の交差点又は第３及び第４ライン電極１０２１、１０２２の交差点に接して位置する。セグメント電極１０２４は、透明導電性物質で形成されるので、画素開口部１０５Ｒ、１０５Ｇ、１０５Ｂと重畳しても関係ない。このようにセグメント電極１０２４が第１及び第２ライン電極１０１１、１０１２の交差点及び第３及び第４ライン電極１０２１、１０２２の交差点に接して位置すれば、セグメント電極１０２４を等間隔で形成することができる。セグメント電極１０２４は、透明導電性物質でなるが、全く透明なものではないので、セグメント電極１０２４が等間隔で配置されない場合、表示画面が屈折されるか一部のセグメント電極１０２４などが視認されるなどの問題があり得る。したがって、セグメント電極１０２４を等間隔で配置することがセグメント電極１０２４による前記視認性問題を改善するのに一番有利である。
【００６７】
第１メッシュ電極１０１、第２メッシュ電極１０２、連結パターン１０２７及びセグメント電極１０２４上には、第２パッシベーション層２３２が位置する。よって、第１メッシュ電極１０１、第２メッシュ電極１０２、連結パターン１０２７及びセグメント電極１０２４は、第２パッシベーション層２３２で覆われる構造を有する。一例として、図４には、第１メッシュ電極１０１及びセグメント電極１０２４上に第２パッシベーション層２３２が覆われる構造が示されている。そして、第２パッシベーション層２３２は、前記第１メッシュ電極１０１の一部を露出するコンタクトホールＣＮＴを備える。
【００６８】
ブリッジ９１２ｂは、第２パッシベーション層２３２上に形成されることにより、前記第１及び第２メッシュ電極１０１、１０２から離隔し、コンタクトホールＣＮＴを通じて隣接した二つの第１メッシュ電極１０１ａ、１０１ｂを連結する。
【００６９】
図３及び図４に示すように、ブリッジ９１２ｂは、第２メッシュ電極１０２と重畳せず、連結パターン１０２７とは互いに交差するように重畳することによってブリッジ９１２ｂと連結パターン１０２７間の重畳面積を最小化して寄生キャパシタンスの発生を最小化する。
【００７０】
ブリッジ９１２ｂ上には、前記第２パッシベーション層２３２及びブリッジ９１２ｂを覆う第３パッシベーション層２３４が備えられる。この際、第２及び第３パッシベーション層２３２、２３４は、ＳｉＯｘ、ＳｉＮｘなどの無機膜のいずれか１種からなった単層構造、又はこれらが交互に積層された構造を有することができる。
【００７１】
この際、タッチ電極アレイ２３０は、バッファー層２２０上に第１メッシュ電極１０１、第２メッシュ電極１０２及び連結パターン１０２７を同時に形成し、その上部にコンタクトホールＣＮＴが備えられた第２パッシベーション層２３２を形成し、前記コンタクトホールＣＮＴに接するようにブリッジ９１２ｂを形成し、前記ブリッジ９１２ｂ上に第３パッシベーション層２３４を形成することによって形成される。その後、有機発光アレイ１５０とタッチ電極アレイ２３０が接着層を介して互いに向き合うように合着される構造を有する。よって、タッチ電極アレイ２３０は、実際には、第１メッシュ電極１０１と第２メッシュ電極１０２の下側に第２パッシベーション層２３２が位置し、その下側にブリッジ９１２ｂが位置し、その下側に第３パッシベーション層２３４が位置する構造を有する。
【００７２】
図５は、本発明の第２実施例による第１メッシュ電極１０１、第２メッシュ電極１０２、ブリッジ９１２及び連結パターン１０２７の特徴及び連結関係を詳細に説明するための模式図である。
【００７３】
図５を参照すると、第１メッシュ電極１０１は、前述したように、第３及び第４方向ｄ４に交差するように配列された第１及び第２ライン電極１０１１、１０１２を含むとともに、第１及び第２ライン電極１０１１、１０１２の交差点を前記第１方向ｄ１に連結する複数の第５ライン電極１０１３をさらに含む。第５ライン電極１０１３は、第１及び第２ライン電極１０１１、１０１２を交差するように形成することにより、第１メッシュ電極１０１が後述する解像度増加のための画素開口部１１５Ｒ、１１５Ｇ、１１５Ｂの変更された形状に対応する形状を有するようにする。
【００７４】
前記第１及び第２ライン電極１０１１、１０１２が交差することによって形成される領域は、第５ライン電極１０１３によって２個の三角形領域、より詳しくは、一つの三角形領域と一つの逆三角形領域に分割される。
【００７５】
すなわち、前記三角形領域と逆三角形領域は、第１、第２及び第５ライン電極１０１１、１０１２、１０１３が互いに交差することによって形成される。そして、ダイヤモンド形の領域は、前記第１及び第２ライン電極１０１１、１０１２が互いに交差することによって形成される。
【００７６】
第５ライン電極１０１３は、第２方向ｄ２に隣り合う他の第５ライン電極１０１３から前記第１及び第２ライン電極１０１１、１０１２の交差点の一つを挟んで離隔するように形成できる。すると、前記第１及び第２ライン電極１０１１、１０１２が交差することによって形成される四角形、例えば図５のダイヤモンド形の領域は、第５ライン電極１０１３によって二つの三角形領域に分割されるか、あるいは第５ライン電極１０１３が位置しないことによって元の形状を有する領域として残っている
【００７７】
第２メッシュ電極１０２は、第３方向ｄ３及び第４方向ｄ４に交差するように配列された第３及び第４ライン電極１０２１、１０２２を含むとともに、前記第３及び第４ライン電極１０２１、１０２２の交差点を第１方向ｄ１に連結する複数の第６ライン電極１０２３をさらに含む。第６ライン電極１０２３は、第５ライン電極１０１３と同様に、第２メッシュ電極１０２が後述する解像度増加のための画素開口部１１５Ｒ、１１５Ｇ、１１５Ｂの変更された形状に対応する形状を有するようにする。
【００７８】
第３及び第４ライン電極１０２１、１０２２が交差することによって形成される領域は、第６ライン電極１０２３によって前記正三角形及び逆三角形の２個の三角形領域に分割される。すなわち、前記正三角形及び逆三角形の領域は、前記第３、第４及び第６ライン電極１０２１、１０２２、１０２３が交差することによって形成される。そして、ダイヤモンド形の領域は、前記第３及び第４ライン電極１０２１、１０２２が交差することによって形成される。
【００７９】
連結パターン１０２７は、前記第３及び第４ライン電極１０２１、１０２２から伸びるように構成されることにより、前記第３及び第４ライン電極１０２１、１０２２、つまり第２メッシュ電極１０２と同じ物質で同一層に形成できる。この際、連結パターン１０２７は、第３ライン電極１０２１と同一である第３方向ｄ３に伸びる第１連結ライン電極１０２７ａと、第４ライン電極１０２２と同一である第４方向ｄ４に伸びるライン形の第２連結ライン電極１０２７ｂとを含むことができる。
【００８０】
そして、連結パターン１０２７も前記画素開口部１１５Ｒ、１１５Ｇ、１１５Ｂと重畳しないように位置する。図５には示されてはいないが、連結パターン１０２７を成す第１及び第２連結ライン電極１０２７ａ、１０２７ｂは、互いに交差するように複数で形成されることによってメッシュパターンを成すことができる。そして、連結パターン１０２７のメッシュパターンも画素開口部１１５Ｒ、１１５Ｇ、１１５Ｂと互いに重畳しないように構成される。
【００８１】
第６ライン電極１０２３は、第２方向ｄ２に隣り合う他の第６ライン電極１０２３から前記第３及び第４ライン電極１０２１、１０２２の交差点の一つを挟んで離隔するように形成できる。すると、前記第３及び第４ライン電極１０２１、１０２２の前記ダイヤモンド形の領域は、第６ライン電極１０２３によって二つの三角形領域に分割されるか、あるいは第６ライン電極１０２３が位置しないことによって元の形状を有する領域として残っている。
【００８２】
したがって、本発明の第２実施例による第１メッシュ電極１０１の第１、第２、第５ライン電極１０１１、１０１２、１０１３によって、表示パネル１００上にはダイヤモンド形領域と２個の三角形領域が定義される。この際、２個の三角形領域、すなわち三角形領域及び逆三角形領域は、第２方向ｄ２に隣り合って位置し、互いに頂点が向き合う形態に形成される。そして、前記ダイヤモンド形領域と２個の三角形領域、すなわち逆三角形領域及び三角形領域は、第１方向ｄ１に隣り合って位置し、第１方向ｄ１に互いに交互に配置される。
【００８３】
同様に、本発明の第２実施例による第２メッシュ電極１０２の第３、第４、第６ライン電極１０２１、１０２２、１０２３によって、前記第１メッシュ電極１０１によって形成される領域と同様にダイヤモンド形領域と２個の三角形領域が第１方向ｄ１に互いに交互に配置されるように形成される。
【００８４】
前記三角形領域及びダイヤモンド形領域には、それぞれ画素開口部１１５Ｒ、１１５Ｇ、１１５Ｂが重畳するように位置する。この際、ダイヤモンド形領域には、赤色、緑色、青色のうち最低効率の青色を表示する画素開口部１１５Ｂが位置することができ、残りの三角形領域及び逆三角形領域には、赤色画素開口部１１５Ｒ及び緑色画素開口部１１５Ｇが位置することができるが、必ずしもこれに限定されない。
【００８５】
図３のようなダイヤモンド形の画素開口部を含む有機発光表示装置は、一つの単位画素をダイヤモンド形に隣接した４個のサブ画素Ｕと定義する。このサブ画素Ｕには、赤色、緑色及び青色の画素開口部１１５Ｒ、１１５Ｇ、１１５Ｂに加え、前記赤色、緑色及び青色の画素開口部のいずれか一つ、図３では、赤色画素開口部１１５Ｒがもう一つ付け加わることで一つの画素を４個のサブ画素で形成するようになる。
【００８６】
一方、図５の有機発光表示装置は、三角形の画素開口部を含むことにより、赤色１１５Ｒ、緑色１１５Ｇ及び青色１１５Ｂのサブ画素がそれぞれ一つずつのみ単位ピクセルＵ’内に全て備えられることができ、結局同数のサブ画素で、より多くの単位ピクセルＵ’を具現することができるので、図５の有機発光表示装置は、高解像度映像を表示するのに、より有利である。
【００８７】
第１及び第２メッシュ電極１０１、１０２の前記第１〜第６ライン電極１０１１、１０１２、１０１３、１０２１、１０２２、１０２３は、それぞれバンク絶縁膜１５上に重畳するように位置するので、画素開口部１１５Ｒ、１１５Ｇ、１１５Ｂと重畳しない。よって、前記第１及び第２メッシュ電極１０１、１０２は、使用者に視認されない。そして、前記第１〜第６ライン電極１０１１、１０１２、１０１３、１０２１、１０２２、１０２３は、全て同一層に同じ物質で形成できる。
【００８８】
セグメント電極１０２４は、前記第１及び第２メッシュ電極１０１、１０２の交差点に重畳するように形成される。そして、セグメント電極１０２４は、ＩＴＯ、ＩＺＯ、ＺｎＯ、ＩＧＺＯなどの透明導電性物質でなるので、画素開口部１１５Ｒ、１１５Ｇ、１１５Ｂと一部が重畳するように形成できる。
【００８９】
第１及び第２メッシュ電極１０１、１０２は、それぞれ第５ライン電極１０１３又は第６ライン電極１０２３をさらに含むことにより、電流パスが増加し、よって前記第１及び第２メッシュ電極１０１、１０２の抵抗が減少する効果を有する。
【００９０】
ブリッジ９１２ａ、９１２ｂは、隣り合う二つの第１メッシュ電極１０１ａ、１０１ｂの間に形成される。この際、ブリッジ９１２ａ、９１２ｂは、複数で形成される。図５には、便宜上二つのブリッジのみが示されているが、前記ブリッジ９１２ａ、９１２ｂは、設計によって３個以上の複数で形成できる。
【００９１】
この際、ブリッジ９１２ａ、９１２ｂは、前記隣接した二つの第１メッシュ電極１０１を互いに連結する。ブリッジ９１２ａ、９１２ｂは、それぞれの第１メッシュ電極１０１の第５ライン電極１０１３を互いに連結するように構成されることができる。この際、ブリッジ９１２ａ、９１２ｂに重畳するように位置する第２メッシュ電極１０２は、除去される。すなわち、ブリッジ９１２ａ、９１２ｂと第２メッシュ電極１０２は、重畳するように位置しない。しかし、連結パターン１０２７は、隣接した第２メッシュ電極１０２を連結するために、ブリッジ９１２ａ、９１２ｂと重畳する部分を含まなければならない。ブリッジ９１２ａ、９１２ｂと連結パターン１０２７が重畳する面積を最小化するために、連結パターン１０２７は、ブリッジ９１２ａ、９１２ｂと互いに交差するように重畳する。
【００９２】
言い換えれば、ブリッジ９１２ａ、９１２ｂは、連結パターン１０２７及び第２メッシュ電極１０２のうち、連結パターン１０２７のみと互いに交差するように重畳する特徴を有する。したがって、本発明によるインセルタッチ有機発光表示装置は、ブリッジ９１２ａ、９１２ｂと第２メッシュ電極１０２が重畳しないことによって、ブリッジ９１２ａ、９１２ｂと第２メッシュ電極１０２の間には寄生キャパシタンスが発生せず、第２メッシュ電極１０２と連結パターン１０２７は、最小限の重畳面積を有するように重畳することによって寄生キャパシタンスの発生を最小化する。
【００９３】
図６は、図５のＩＩＩ−ＩＩＩ’線についての断面構造を説明するための断面図である。
【００９４】
第２実施例において、薄膜トランジスタアレイ１４０、有機発光アレイ１５０、保護層１６０及び接着層４００の構成は、第１実施例と同様であるので、その詳細な説明は、省略する。
【００９５】
第２バッファー層１２０上の有機発光アレイ１５０と向き合う面には、前記第１メッシュ電極１０１、第２メッシュ電極１０２及び連結電極１０２７が位置する。図６には、第１メッシュ電極１０１及び連結パターン１０２７が前記第２バッファー層１２０上に位置するものが示されている。図４には示されてはいないが、第２メッシュ電極１０２も前記第１メッシュ電極１０１及び連結パターン１０２７と同一層に同じ物質で形成される。
【００９６】
第２実施例も第１実施例と同様に、第１メッシュ電極１０１及び第２メッシュ電極１０２と連結パターン１０２７は、画素開口部１１５Ｒと重畳せず、バンク絶縁膜１５と重畳するように構成される。図６には、第１メッシュ電極１０１が画素開口部１１５Ｒと重畳しない特徴が示されている。これにより、前記第１メッシュ電極１０１、第２メッシュ電極１０２及び連結パターン１０２７は、使用者に視認されない。
【００９７】
前記セグメント電極１０２４は、第１メッシュ電極１０１及び第２メッシュ電極１０２上に接するように位置する。セグメント電極１０２４は、前記第１、第２及び第５ライン電極１０１１、１０１２、１０１３の少なくとも二つが交差する交差点又は第３、第４及び第６ライン電極１０２１、１０２２、１０２３の交差点に接して位置する。
【００９８】
この際、セグメント電極１０２４は、透明導電性物質でなるので、画素開口部１１５Ｒに重畳するように形成されても構わない。
【００９９】
第１及び２メッシュ電極１０１、１０２及びセグメント電極１０２４は、第２パッシベーション層２３２で覆われる構造を有する。この際、前記第１及び第２メッシュ電極１０１、１０２及びセグメント電極１０２４は、全て第２パッシベーション層２３２で覆われる構造を有する。図５及び図６を参照すると、第２パッシベーション層２３２は、前記第１メッシュ電極１０１、特に第５ライン電極１０１３の一部を露出するコンタクトホールＣＮＴを備える。
【０１００】
ブリッジ９１２ａは第２パッシベーション層２３２上の隣接した２個の第１メッシュ電極１０１の間に備えられ、コンタクトホールＣＮＴを通じて前記２個の第１メッシュ電極が全て接続されることによって隣接した２個の第１メッシュ電極１０１を電気的に連結する。図５を参照すると、前記ブリッジ９１２ａは、第１メッシュ電極１０１の第５ライン電極１０１３に接続され、第５ライン電極１０１３と平行に第１方向ｄ１に位置することができるが、必ずしもこれに限定されるものではない。
【０１０１】
図５及び図６に示すように、ブリッジ９１２ａは、第２メッシュ電極１０２と重畳せず、連結パターン１０２７とは互いに交差するように重畳することでブリッジ９１２ａと連結パターン１０２７間の重畳面積を最小化して寄生キャパシタンスの発生を最小化する。
【０１０２】
ブリッジ９１２ａは、第３パッシベーション層２３４で覆われる構造を有する。この際、第２及び第３パッシベーション層２３２、２３４は、ＳｉＯｘ、ＳｉＮｘなどの無機膜のいずれか１種でなった単層構造、又はこれらが交互に積層された構造を有することができる。第３パッシベーション層２３４は、前記ブリッジ９１２ａを保護する役目をすることができる。
【０１０３】
タッチ電極アレイ２３０は、バッファー層２２０上に第１メッシュ電極１０１、第２メッシュ電極１０２及び連結パターン１０２７を同時に形成し、その上部にコンタクトホールＣＮＴの備えられた第２パッシベーション層２３２を形成し、前記コンタクトホールＣＮＴに接するようにブリッジ９１２ｂを形成し、前記ブリッジ９１２ａ上に第３パッシベーション層２３４を形成することによって形成される。その後、有機発光アレイ１５０とタッチ電極アレイ２３０が接着層を介して向き合うように合着される構造を有する。したがって、タッチ電極アレイ２３０は、第１メッシュ電極１０１と第２メッシュ電極１０２の下側には第２パッシベーション層２３２が位置し、その下側にブリッジ９１２ａが位置し、その下側に第３パッシベーション層２３４が位置する構造を有することができる。
【０１０４】
以上説明したように、本発明によるインセルタッチフォルダブル表示装置は、複数のブリッジ９１２ａ、９１２ｂを形成することにより、ブリッジ９１２の断線などによるタッチセンシング不良を防止するとともに、ブリッジ９１２と第２メッシュ電極１０２が重畳しないようにし、ブリッジ９１２と連結パターン１０２７の重畳を最小化することにより、ブリッジ９１２によって発生する寄生キャパシタンスを最小化する特徴を有する。
【０１０５】
従来の隣接した二つのメッシュ電極を多数のブリッジで連結したインセルタッチ有機発光表示装置のタッチ性能と同数のブリッジで隣接した二つのメッシュ電極を連結した本発明によるインセルタッチ有機発光表示装置のタッチ性能を比較したところ、下記の表１のような結果が導出された。
【０１０６】
【表１】
2018109768.tif 000003
【０１０７】
表１で、Ｃは、キャパシタンスを意味する。従来のインセルタッチ有機発光表示装置は、待機状態で２．５ｐＦのキャパシタンスを有したが、本発明によれば、ブリッジと重畳する第２メッシュ電極が除去されることによって待機状態のキャパシタンスが大きく減少して１．４ｐＦのキャパシタンスを有することを確認することができる。一方、タッチ時のキャパシタンスの変化量は、従来の技術と本発明が同一であり、よって待機状態のキャパシタンスの小さな本発明におけるタッチ変化率が約５％高くなる。すなわち、本発明によるインセルタッチ有機発光表示装置は、タッチを認識する敏感度が前記タッチ変化率に対応して高くなってタッチセンシング特性が大きく向上する特徴を有する。
【０１０８】
そして、応答においても、従来のインセルタッチ有機発光表示装置に比べ、本発明では約３６ｎｓ程度減少することから本発明によるインセルタッチ有機発光表示装置の応答時間がめっきり減少することを確認することができた。これは、寄生キャパシタンスが減少することにより、前記寄生キャパシタンスによる時定数上昇現象（ＲＣ  Ｄｅｌａｙ）が防止された結果である。
【０１０９】
以上で説明した本発明は、上述した実施例及び添付図面に限定されるものではなく、本発明の技術的思想を逸脱しない範疇内で多様な置換、変形及び変更が可能であるのが本発明が属する技術分野で通常の知識を有する者に明らかであろう。
【符号の説明】
【０１１０】
１０５Ｒ、１０５Ｇ、１０５Ｂ、１１５Ｒ、１１５Ｇ、１１５Ｂ  画素開口部、１０１  第１メッシュ電極、１０２  第２メッシュ電極、１０１１  第１ライン電極、１０１２  第２ライン電極、１０２１  第３ライン電極、１０２２  第４ライン電極、１０２４  セグメント電極、９１２ａ、９１２ｂ  ブリッジ、１０２７  連結パターン、１０１３  第５ライン電極、１０２３  第６ライン電極、１３０  バッファー層、４００  接着層、１４０  薄膜トランジスタアレイ、１５０  有機発光アレイ、１６０  保護層、２３２  第２パッシベーション層、２３４  第３パッシベーション層。
【図１】
2018109768.tif 000004
【図２】
2018109768.tif 000005
【図３】
2018109768.tif 000006
【図４】
2018109768.tif 000007
【図５】
2018109768.tif 000008
【図６】
2018109768.tif 000009